(57)【要約】【課題】屋根架構の一部に越屋根を形成した場合に、屋根面上に積雪があったときにも越屋根において採光の機能を確保する。【解決手段】越屋根２をその幅方向に並列し、水平面に対して傾斜した面をなして配置され、上弦材３１と下弦材３２、及び両弦材３１、３２間に架設されるラチス材３３を持つ平面トラスのトラス梁３、３と、両トラス梁３、３間に架設され、両トラス梁３、３をつなぐ上部つなぎ材４から構成し、越屋根２の幅方向の両側面の屋外側に敷設された側面側仕上げ材６、６の少なくとも一部にトラス梁３の屋内側に太陽光を取り込む開口部７を形成する。【選択図】図１
2015105557.tif 000002
【特許請求の範囲】
【請求項１】
水平二方向に配列する柱に支持され、いずれか一方向の少なくとも一部の区間に、他の方向に連続する上に凸の箱形断面の越屋根が形成され、この越屋根の幅方向の両側面の屋外側に側面側仕上げ材が敷設された屋根架構において、
前記越屋根は、その幅方向に並列し、水平面に対して傾斜した面をなして配置され、上弦材と下弦材、及び両弦材間に架設されるラチス材を持つ平面トラスのトラス梁と、この両トラス梁間に架設され、前記両トラス梁をつなぐ上部つなぎ材とを備え、前記側面側仕上げ材の少なくとも一部に前記トラス梁の屋内側に太陽光を取り込む開口部が形成されていることを特徴とする屋根架構における採光構造。
【請求項２】
前記開口部の上端部は想定される最大の入射角で入射する太陽光線が前記トラス梁の前記上弦材の下端部を通る線上にあり、前記開口部の下端部は想定される最小の入射角で入射する太陽光線が前記トラス梁の前記下弦材の上端部を通る線上にあることを特徴とする請求項１に記載の屋根架構における採光構造。
【請求項３】
前記屋根架構の内、前記越屋根の幅方向両側に位置する下面部の上に敷設された下面側仕上げ材の幅方向片側と前記側面側仕上げ材の交差部分から前記側面側仕上げ材としての立上り壁が形成され、前記立上り壁は前記開口部の下端部までの区間に形成されていることを特徴とする請求項１、もしくは請求項２に記載の屋根架構における採光構造。
【請求項４】
前記下面側仕上げ材の表面の少なくとも一部の区間と、前記上部つなぎ材上に敷設された上面側仕上げ材の背面の少なくとも一部の区間に反射板が使用されていることを特徴とする請求項１乃至請求項３のいずれかに記載の屋根架構における採光構造。
【請求項５】
前記上部つなぎ材の下方の、隣接するトラス梁間に下に凸の天井材が架設され、この天井材の下面の少なくとも一部の区間に反射板が使用されていることを特徴とする請求項１乃至請求項４のいずれかに記載の屋根架構における採光構造。
【請求項６】
前記天井材上の、隣接する前記トラス梁の前記上弦材間に、前記上部つなぎ材と共にトラスを構成する斜材が対になって架設されていることを特徴とする請求項１乃至請求項５のいずれかに記載の屋根架構における採光構造。
【発明の詳細な説明】
【技術分野】
【０００１】
本発明は屋根面（屋根仕上げ材）上への積雪があった場合にも、屋内への採光を確保することを可能にする屋根架構における採光構造に関するものである。
【背景技術】
【０００２】
例えば工場や倉庫等のように機能上、広い無柱空間が要求される構造物では、屋根架構に剛性を付与する必要から、屋根架構を支持する梁の成を大きく取るために、図９に示すように上弦材と下弦材を持つ平面トラスを梁として使用することが多い。
【０００３】
ここで、屋根面からの採光を確保するには、梁上に敷設される屋根仕上げ材（屋根葺き材）の一部に例えば上に凸の三角形の断面形状に屈曲した凸部を形成し、凸部の一部に開口部を形成することが必要になる。凸部の断面形状が三角形状である理由は、開口部を含む面がなす構面に対して太陽光が垂直に近い角度から入射する状態になることが、開口部の面積に対する採光の効率が高いことによる。
【０００４】
しかしながら、積雪地では屋根仕上げ材上に降雪する結果、図９に二点鎖線で示すように積雪が開口部を覆う状態になることが見込まれるため、積雪があったときには開口部からの採光の機能が損なわれる。
【０００５】
屋根架構を支持する平面トラス等、トラス構造の梁を屋根の平坦面より上に突出させることにより採光を確保することは以前より採用される手法であるが（特許文献１〜３参照）、特に積雪地での降雪を想定した採光に適した構造の例はない。
【先行技術文献】
【特許文献】
【０００６】
【特許文献１】特開昭６３−４４０５７号公報（請求項１、第１図）
【特許文献２】特開２００６−２３３４２０号公報（図１、図３）
【特許文献３】特開平５−８６６４８公報（請求項１、段落０００９〜００１４、図１）
【発明の概要】
【発明が解決しようとする課題】
【０００７】
特許文献３では採光を確保するための越屋根に積雪荷重を負担し得る強度を付与するために、越屋根内の柱上に束材を配置し、越屋根の幅方向を向く構面に斜材を架設することをしているが（請求項１、段落００１１）、越屋根を含む屋根面全体に積雪があったときの採光を確保する方法は示されていない。
【０００８】
本発明は上記背景より、屋根架構の一部に越屋根を形成した場合に、屋根面上に積雪があったときにも越屋根において採光の機能を確保する採光構造を提案するものである。
【課題を解決するための手段】
【０００９】
請求項１に記載の発明の屋根架構における採光構造は、水平二方向に配列する柱に支持され、いずれか一方向の少なくとも一部の区間に、他の方向に連続する上に凸の箱形断面の越屋根が形成され、この越屋根の幅方向の両側面の屋外側に側面側仕上げ材が敷設された屋根架構において、
前記越屋根が、その幅方向に並列し、水平面に対して傾斜した面をなして配置され、上弦材と下弦材、及び両弦材間に架設されるラチス材を持つ平面トラスのトラス梁と、この両トラス梁間に架設され、前記両トラス梁をつなぐ上部つなぎ材とを備え、前記側面側仕上げ材の少なくとも一部に前記トラス梁の屋内側に太陽光を取り込む開口部が形成されていることを構成要件とする。
【００１０】
「いずれか一方向」と「他の方向」は構造物のスパン方向と桁行方向であるが、スパン方向と桁行方向は相対的な方向であるから、「一方向」と「他の方向」は共にスパン方向の場合と桁行方向の場合がある。「箱形断面の越屋根」とは、越屋根の上面側の部分が基本的に越屋根の長さ方向に見たときに方形状、またはそれに近い断面形状をしていることを言うが、越屋根の上面（上面部２１）は平坦面である必要はなく、多角形状、または曲面状の場合もある。
【００１１】
越屋根２は図１等に示すようにその幅方向に並列する梁としてのトラス梁３、３と、両トラス梁３、３の上端間に架設され、越屋根２の上面部２１の骨組を構成する上部つなぎ材４を基本の構成要素として構成される。トラス梁３は上弦材３１と下弦材３２、及び両弦材３１、３２をつなぐラチス材３３を基本の構成要素として備え、上弦材３１と下弦材３２間には図７に示すように束材３４が架設されることもある。側面側仕上げ材６はトラス梁３の屋外側に敷設される。
【００１２】
上部つなぎ材４は両トラス梁３、３の上弦材３１、３１間に架設され、上部つなぎ材４には水平ブレース５等が伴うこともある。越屋根２の幅方向両側に位置する梁（トラス梁３）が平面トラスで構成されることで、上弦材３１と下弦材３２間のラチス材３３、またはラチス材３３と束材３４を除く領域に開口が形成されるため、トラス梁３を通じた採光が可能になっている。
【００１３】
トラス梁３は材軸方向を前記他の方向（スパン方向、もしくは桁行方向）に向けて配置される。トラス梁３の構面は主に鉛直面等、「水平面に対して傾斜した面」をなすが、トラス梁３の構面に平行な面をなし、開口部７が形成される側面側仕上げ材６上への積雪を回避する上では鉛直面、もしくは鉛直面に近い面をなすことが合理的である。「鉛直面に近い」とは、側面側仕上げ材６上への降雪があっても雪が付着せずに落下する程度の角度を言う。開口部７を含め、側面側仕上げ材６にその表面への雪の付着が生じにくい加工が施されていれば、トラス梁３の、水平面に対する角度が４５度程度であっても側面側仕上げ材６上への積雪は回避される。
【００１４】
トラス梁３の下弦材３２には屋根架構１の内、越屋根２を除く部分である下面部９を構成する下部つなぎ材１０が接続（接合）される。下部つなぎ材１０は越屋根２以外の屋根架構１の骨組を構成し、下部つなぎ材１０には水平ブレース１１等が伴うこともある。越屋根２は図８に示すようにその幅方向に間隔を置いて複数、配列することもある。その場合、越屋根２と下面部９は越屋根２の幅方向に交互に配列し、隣接する越屋根２、２の下弦材３２、３２間に下部つなぎ材１０が架設される。下面部９も平坦面である必要はなく、多角形状、または曲面状の場合もある。
【００１５】
越屋根２を含む屋根架構１の表面側には屋根仕上げ材が敷設されるが、その内、越屋根２の両側面側の、トラス梁３、３の表面側に敷設される側面側仕上げ材６、６の少なくとも一部に開口部７が形成される。開口部７は越屋根２を構成するトラス梁３の上弦材３１と下弦材３２間に形成される開口に直接、もしくは空隙を隔てて重なるため、図１に破線で示すように太陽光を開口部７とトラス梁３の開口を通じて屋内に導入する採光用の開口になる。越屋根２のトラス梁３、３をつなぐ上部つなぎ材４上には屋根仕上げ材としての上面側仕上げ材８が敷設される（請求項４）。
【００１６】
側面側仕上げ材６と上面側仕上げ材８、及び下面部９を構成する下部つなぎ材１０上に敷設される下面側仕上げ材１２の屋根仕上げ材は基本的にそれぞれトラス梁３、上面部２１、下面部９の各骨組の屋外側に設置される下地材を介して敷設されるが、下地材の形態に応じ、骨組と屋根仕上げ材との間には図１に示すように空隙が形成される場合と図５に示すように実質的に空隙が形成されない場合がある。
【００１７】
開口部７が開閉自在であれば、採光と同時に、開口部７を通じた通風も確保される。地域、または越屋根２の長さ方向の向きによっては太陽光が直接、取り込まれる開口部７に対向する開口部７からも太陽光が取り込まれることがあるが、太陽光が直接、差し込まない開口部７からも自然光は導入されるため、その開口部７も採光の機能を果たす。
【００１８】
太陽光が直接、取り込まれる開口部７においては、太陽光の開口部７への入射の方向と水平線とのなす角度を入射角とすれば、図２−（ａ）に示すように想定される最大の入射角αで入射する太陽光線がトラス梁３の上弦材３１の下端部を通る線上に開口部７の上端部を位置させ、（ｂ）に示すように想定される最小の入射角βで入射する太陽光線がトラス梁３の下弦材３２の上端部を通る線上に開口部７の下端部を位置させれば（請求項２）、開口部７を通じての最大の入射量を確保することが可能である。開口部７の上端部と下端部はそれぞれ開口部７に収納される開口枠７１の上枠７１ａの下端部と下枠７１ｂの上端部を指す。
【００１９】
入射角βで入射する太陽光線が下弦材３２の上端部を通る線上に開口部７の下端部が位置した場合に、下面側仕上げ材１２上に想定される積雪量がその開口部７の下端部のレベル以下であれば、下面側仕上げ材１２上への積雪の影響を受けることなく、開口部７からの採光を確保することが可能である。
【００２０】
以上のように越屋根２の幅方向両側に位置し、「水平面に対して傾斜した面」をなすトラス梁３の屋外側に敷設される側面側仕上げ材６に開口部７が形成されることで、屋根架構１上に降雪があり、上面側仕上げ材８と下面側仕上げ材１２上に積雪があった場合にも、側面側仕上げ材６上に直接、積雪し、開口部７が積雪に塞がれる事態は回避される。下面側仕上げ材１２上の積雪は開口部７の下端部寄りから上端部寄りに向かって進むことから、下面側仕上げ材１２からの積雪量が開口部７の上端部にまで到達しない限り、開口部７の下方寄りの一部の区間が積雪に塞がれたときにも開口部７全体が完全に塞がれることはないため、積雪時にも採光は確保される。
【００２１】
越屋根２の幅方向両側に位置する下面部９を構成する下部つなぎ材１０上には屋根仕上げ材としての下面側仕上げ材１２が敷設される（請求項３）。降雪時には図１に二点鎖線で示すように下面側仕上げ材１２上に積雪し、開口部７の下端部が下面側仕上げ材１２のレベルにある場合には、積雪分、開口部７を通じた採光量が低減するため、開口部７の下端部は下面側仕上げ材１２のレベルより上に位置し、開口部７の上端部はトラス梁３の上弦材３１寄りに位置することが適切である。
【００２２】
開口部７の下端部が下面側仕上げ材１２より上に位置する場合、図１に示すように下面側仕上げ材１２の幅方向片側と側面側仕上げ材６の交差部分から側面側仕上げ材６としての立上り壁６１が形成され、立上り壁６１は開口部７の下端部までの区間に形成される（請求項３）。立上り壁６１は側面側仕上げ材６の一部であり、下面側仕上げ材１２から連続して立ち上がることで、下面側仕上げ材１２と側面側仕上げ材６との間の水密性を確保し、降雪による水の屋内への浸入を阻止する働きをする。
【００２３】
この場合、下面側仕上げ材１２上に想定される最大積雪量が立上り壁６１の高さ以下であれば、開口部７の全高の一部でも積雪に塞がれることがないため、開口部７の面積分の採光が常に確保される。また積雪が開口部７に及ぶことがないことで、開口部７に開閉自在な窓が収納されている場合の窓の開閉が阻害されることがない他、開口枠７１の下枠７１ｂ及び横枠７１ｃと側面側仕上げ材６との間の取合い部からの、積雪による水の浸入も回避される。
【００２４】
越屋根２を通じた屋内への採光は太陽光の反射を利用することによっても確保することが可能である。例えば図３に示すように下面側仕上げ材１２の表面の少なくとも一部の区間と、上部つなぎ材４上に敷設された上面側仕上げ材８の背面の少なくとも一部の区間に反射板１３を使用することで（請求項４）、側面側仕上げ材６の開口部７からの直接の採光と、下面側仕上げ材１２と上面側仕上げ材８を反射した反射光の、間接の採光を得ることが可能になる。「反射板１３を使用する」とは、下面側仕上げ材１２と上面側仕上げ材８の少なくとも一部に反射板１３を組み込む場合と、下面側仕上げ材１２と上面側仕上げ材８の一部に反射板１３を接合や接着等により付加する場合を含む趣旨である。反射板１３には鏡、ガラス、アクリル等の合成樹脂板等が使用されるが、太陽光を反射させることができれば、反射板１３の材料と形状は問われない。
【００２５】
「少なくとも一部の区間」とは、図３に破線で示すように下面側仕上げ材１２における反射板１３を反射した太陽光が開口部７の上端部と下端部との間を通過して上面側仕上げ材８の背面に到達する範囲内の、下面側仕上げ材１２と上面側仕上げ材８に反射板１３が配置されればよいことを言う。下面側仕上げ材１２においては必ずしも側面側仕上げ材６との交差部分から反射板１３が配置される必要がなく、上面側仕上げ材８においても必ずしも側面側仕上げ材６との交差部分から反射板１３が配置される必要がない。下面側仕上げ材１２における反射板１３に反射した太陽光が開口部７の上端部と下端部との間を通過して上面側仕上げ材８の背面に到達する太陽光が当たる範囲は太陽光の入射角（地域と時間帯）に応じて変化する。
【００２６】
反射板１３が配置されるべき範囲は下面部９の全幅の内、越屋根２寄りの一部の区間になるが、側面側仕上げ材６における高さ方向の開口部７の形成範囲に応じ、側面側仕上げ材６との交差部分から、下面部９の幅方向中間部寄りまでに配置される場合と、図３に示すように側面側仕上げ材６との交差部分から距離を置いた位置から下面部９の幅方向中間部寄りまでに配置される場合がある。
【００２７】
下面側仕上げ材１２における反射板１３が少なくとも越屋根２寄り等の一部の区間に配置されればよいことで、上面側仕上げ材８の背面における反射板１３も下面側仕上げ材１２における反射板１３に反射した反射光が当たる範囲内でよいことになる。具体的には開口部７の下端部を通過した反射光が当たる箇所から、開口部７の上端部、またはトラス梁３の上弦材３１の下端部を通過した反射光が当たる箇所までの範囲内に上面側仕上げ材８の反射板１３が配置されればよい。
【００２８】
請求項４では開口部７から直接、屋内に差し込む太陽光と２枚の反射板１３、１３を反射して屋内に間接的に差し込む反射光が屋内の照明として利用可能になるため、屋内の照度が高まる結果、人工照明数を削減することが可能であり、人工照明に要する費用の節減を図ることも可能になる。
【００２９】
太陽光の屋内への、反射光としての間接的な取り込みは図４に示すように上部つなぎ材４の下方の、隣接するトラス梁３、３間に下に凸の天井材１４を架設し、天井材１４の下面の少なくとも一部の区間に反射板１３を使用することによっても可能になる（請求項５）。天井材１４がなす下に凸の形状は問われず、多角形状の場合と曲面状の場合がある。天井材１４は隣接するトラス梁３、３の上弦材３１、３１間、または束材３４、３４間等に架設される。
【００３０】
この場合、側面側仕上げ材６の開口部７から入射した太陽光は天井材１４の反射板１３に反射し、間接的に屋内に差し込むことで、図４に破線で示すように入射角の大きさに応じ、太陽光を直接、取り込むことと、間接の反射光として取り込むことの２通りの取り込みが可能になる。すなわち、入射角の小さい時間帯には間接の反射光として太陽光を取り込み、入射角が大きい時間帯には太陽光を直接、取り込むことが可能であり、１日の内、直接と間接を合わせ、太陽光を採光として屋内に取り込める時間が長くなり、長時間に亘って太陽光を照明として利用することが可能である。太陽光は天井材１４が平面である場合の天井材１４の下面と平行になったときと、それより大きい入射角で入射するときに屋内に直接、差し込む。
【００３１】
この場合も、開口部７から入射する太陽光が当たる天井材１４の範囲内に反射板１３が配置されればよい。具体的には開口部７の上端部を通過した太陽光が天井材１４に当たる箇所から、開口部７の下端部を通過した太陽光が天井材１４に当たる箇所までの範囲内に反射板１３が配置されればよい。
【００３２】
請求項５では特に図４に示すように入射角が小さく、開口部７を通過する太陽光が対向するトラス梁３に到達し、屋内の床面にまで到達しないような場合に、太陽光を反射光として屋内に取り込み、床面にまで到達させることを可能にするため、入射角の小さい地域、または時間帯での採光に有効である。
【００３３】
請求項５では天井材１４が隣接するトラス梁３、３の上弦材３１、３１間等の下に凸に架設されることから、両トラス梁３、３をつなぐ上部つなぎ材４と天井材１４との間に空間が形成されるため、空間を越屋根２と側面側仕上げ材６、及び開口部７等の点検、メインテナンス等の作業をする目的で利用可能である。具体的には天井材１４上の、上弦材３１、３１間に天井材１４の上面に添い、上部つなぎ材４と共にトラスを構成する斜材１５、１５を対にして架設することで（請求項６）、図４に示すように斜材１５、１５に点検等をするための通路１６を支持させることが可能である。
【００３４】
この場合、斜材１５、１５は対向する上弦材３１、３１間に、トラス梁３、３の対向する方向に対になって架設され、一端部において互いに接続（接合）されながら、他端部において上弦材３１と上部つなぎ材４の接合部に接合（ピン接合）されることで、上部つなぎ材４と共に上部つなぎ材４を含む構面内のトラスを構成する。斜材１５、１５がトラスを構成することで、図４に示すように斜材１５に通路１６を支持させ、両側のトラス梁３、３に通路１６の荷重を負担させることが可能になる。越屋根２の屋内側に通路１６が配置されることで、越屋根２内の点検とメインテナンスの他、開口部７が開閉自在な窓である場合の開閉作業を開口部７単位で行うことも可能である。
【発明の効果】
【００３５】
越屋根の幅方向両側に位置し、「水平面に対して傾斜した面」をなすトラス梁の屋外側に敷設される側面側仕上げ材に開口部を形成することで、屋根架構上に降雪があり、越屋根上の上面側仕上げ材と越屋根の幅方向両側の下面側仕上げ材上に積雪があった場合にも、側面側仕上げ材上に直接、積雪し、開口部が積雪に塞がれる事態を回避することができる。また下面側仕上げ材からの積雪量が開口部の上端部にまで到達しない限り、開口部が積雪に完全に塞がれることもないため、積雪時にも採光を確保することができる。
【図面の簡単な説明】
【００３６】
【図１】越屋根の幅方向両側の側面側仕上げ材に形成された開口部を通じた採光の様子を示した越屋根の長さ方向の縦断面図である。
【図２】（ａ）は開口部に最大の入射角で入射する太陽光線が開口部の上端部と上弦材の下端部を通るときの採光の様子を示した縦断面図、（ｂ）は開口部に最小の入射角で入射する太陽光線が開口部の下端部と下弦材の上端部を通るときの採光の様子を示した縦断面図である。
【図３】下面側仕上げ材の表面と、上面側仕上げ材の背面に反射板を使用した場合の、反射光の入射の様子を示した縦断面図である。
【図４】隣接するトラス梁の各上弦材等の間に下に凸の天井材を架設し、天井材の下面に反射板を使用すると共に、天井材上に斜材を架設し、斜材に通路を支持させた場合の、太陽光と反射光の入射の様子を示した縦断面図である。
【図５】図４の詳細例を示した縦断面図である。
【図６】越屋根とその幅方向両側の下面部を示した透視図である。
【図７】越屋根を幅方向に見た様子を示した縦断面図であり、図５のｘ−ｘ線断面図である。
【図８】越屋根と下面部が幅方向に交互に配列した場合の屋根架構の構築例を示した縦断面図である。
【図９】従来の屋根面からの採光を確保する場合の開口部の形成例を示した縦断面図である。
【発明を実施するための形態】
【００３７】
図１は水平二方向に配列する柱２０に支持され、いずれか一方向の少なくとも一部の区間に、他の方向に連続する上に凸の箱形断面の越屋根２が形成され、越屋根２の幅方向の両側面の屋外側に側面側仕上げ材６、６が敷設された屋根架構１において、側面側仕上げ材６の少なくとも一部に屋内側に太陽光を取り込む開口部７が形成された採光構造の構成例を示す。越屋根２は図８に示すように越屋根２の幅方向に間隔を置いて複数、配列する場合もあり、その場合、越屋根２の幅方向両側に位置する下面部９と越屋根２が交互に配列する。図８では柱２０が越屋根２の幅方向に間隔を置いて配列している様子を示しているが、柱２０は越屋根２の長さ方向にも間隔を置いて配列している。
【００３８】
越屋根２は図６、図７に示すようにその幅方向に並列し、水平面に対して傾斜した面をなして配置される平面トラスのトラス梁３、３と、両トラス梁３、３の上部間に架設され、両トラス梁３、３をつなぐ上部つなぎ材４とを備える。トラス梁３は上弦材３１と下弦材３２、及び両弦材３１、３２間に架設されるラチス材３３を持ち、両弦材３１、３２間には上部つなぎ材４、または後述の斜材１５を受けるための束材３４が架設されることもある。上部つなぎ材４はトラス梁３、３の上弦材３１、３１間、または束材３４、３４間に架設され、上弦材３１、３１と上部つなぎ材４、４とで囲まれた領域内には図６に示すように水平ブレース５が架設されることもある。
【００３９】
トラス梁３の屋外側に敷設される側面側仕上げ材６の少なくとも一部に採光用の開口部７が形成されることから、開口部７がトラス梁３の構面外方向に積雪することにより閉塞することがないようにする上では、トラス梁３は図示するように鉛直面をなすように配置されることが合理的である。但し、トラス梁３は付着による場合も含め、構面外方向に積雪が生じなければ降雪の影響を受けることがないため、トラス梁３の構面は鉛直面に対して４５度程度まで傾斜している場合もある。
【００４０】
越屋根３の上面部２１の骨組となる上部つなぎ材４上には上面側仕上げ材８が敷設され、越屋根３の幅方向両側に位置する下面部９の上には下面側仕上げ材１２が敷設される。上面側仕上げ材８と側面側仕上げ材６の交差部分、及び下面側仕上げ材１２と側面側仕上げ材６の交差部分は連続する。
【００４１】
開口部７の下端部が下面側仕上げ材１２のレベルより上に位置する場合には、図１に示すように下面側仕上げ材１２の幅方向片側と側面側仕上げ材６の交差部分から側面側仕上げ材６としての立上り壁６１が下面側仕上げ材１２に連続して形成される。立上り壁６１は開口部７の下端部までの区間（開口部７は立上り壁６１の上端部までの区間）に形成される。開口部７の下に立上り壁６１が形成される場合、下面側仕上げ材１２上への積雪により開口部７が塞がれないよう、立上り壁６１の下面側仕上げ材１２の上面からの高さには想定される積雪量（積雪高さ）以上の大きさが与えられる。積雪により開口部７が塞がれないようにすることには、例えば開口部７に開閉自在な窓が収納されている場合に、下面側仕上げ材１２上に積雪があっても窓の開閉の機能が損なわれないようにする意味がある。
【００４２】
開口部７には主に採光と雨水の浸入防止のための窓が収納されるが、開口部７に通風の機能も併せ持たせる場合には、開閉自在な形態の窓が収納される。採光と雨水の浸入防止の機能のみでよければ、嵌め殺しの窓が収納される。いずれの窓の場合にも開口部７の内周には上枠７１ａと下枠７１ｂ、及び横枠７１ｃからなる開口枠７１が収納される。開口部７が開放状態でも差し支えなければ、必ずしも窓を収納する必要はない。
【００４３】
図１は積雪時における開口部７からの太陽光の屋内への入射の様子を示している。ここでは高さ方向に開口部７の上端部である上枠７１ａの下端部から、開口部７の下端部である下枠７１ｂの上端部までの区間を通過する太陽光がトラス梁３の上弦材３１と下弦材３２間の開口を通じて屋内に取り込まれ、床面に直接、もしくは間接的に差し込む。図１において太陽光を採光中の左側の開口部７に対向する側に位置する右側の開口部７からも時間帯によっては太陽光を採光中の開口部７に入れ替わって太陽光が差し込むことがあるが、太陽光の採光中でない開口部７からも天候に拘わらず、日中の自然光は屋内に取り込まれる。
【００４４】
ここで、トラス梁３の開口を採光のために有効に利用する上では、図２−（ａ）に示すように最大の入射角αになるときの太陽光が上枠７１ａの下端部を通り、上弦材３１の下端部を通過する線上に上枠７１ａを配置することが合理的である。同様に（ｂ）に示すように最小の入射角βになるときの太陽光が下枠７１ｂの上端部を通り、下弦材３２の上端部を通過する線上に下枠７１ｂを配置することが合理的である。
【００４５】
図３は下面側仕上げ材１２の表面の少なくとも一部の区間と、上部つなぎ材４上に敷設された上面側仕上げ材８の背面の少なくとも一部の区間に反射板１３を使用し、反射板１３を反射した反射光を屋内に取り込む場合の採光の様子を示す。「下面側仕上げ材１２の少なくとも一部の区間」は下面側仕上げ材１２の表面（反射板１３）を反射した反射光が開口部７（開口枠７１）の内周側を通過する範囲であり、「上面側仕上げ材８の少なくとも一部の区間」は開口部７（開口枠７１）の内周側を通過した反射光が上面側仕上げ材８の背面（反射板１３）に到達する範囲である。
【００４６】
図３の例では側面側仕上げ材６の開口部７（開口枠７１）の内周側を通過して直接、屋内に差し込む太陽光と、下面側仕上げ材１２の反射板１３と上面側仕上げ材８の反射板１３を反射し、屋内に間接的に差し込む反射光が同時に屋内の照明として利用可能になるため、直接光と間接光が同時に屋内に差し込む時間帯の照度が上昇する利点がある。
【００４７】
図３中、越屋根２の幅方向両側の開口部７、７から反射光の取り込みが可能である場合には、反射板１３は越屋根２の幅方向両側に位置する下面側仕上げ材１２と上面側仕上げ材８の一部にも使用される。但し、その場合、反射板１３が使用される下面側仕上げ材１２と上面側仕上げ材８の区間は越屋根２の幅方向の中心を通る鉛直面に関して対称な位置になるとは限らない。
【００４８】
図４は上部つなぎ材４の下方の、隣接するトラス梁３、３の各上弦材３１、３１間等に下に凸の天井材１４を架設し、天井材１４の下面の少なくとも一部の区間に反射板１３を使用し、反射板１３を反射した反射光を屋内に取り込む場合の採光の様子を示す。天井材１４は太陽光が当たる範囲は主に平坦面に形成されるが、必ずしもその必要はなく、天井材１４全体が曲面状に形成されることもある。天井材１４、１４はトラス梁３、３間に越屋根２の幅方向に対になって架設され、一端部において上弦材３１、３１等、トラス梁３のいずれかの部位に接合され、他端部において互いに接合、もしくは連結される。
【００４９】
天井材１４の反射板１３には図４に破線で示すように小さい入射角度で入射した太陽光が反射し、角度を変えて屋内の床面側へ差し込む。反射板１３に反射する入射角より大きい入射角で入射する太陽光は直接、屋内に差し込むため、反射板１３に反射する入射角から反射しない入射角の範囲までの太陽光が屋内に取り込まれることになる。
【００５０】
図４はまた、天井材１４上の、隣接するトラス梁３、３の上弦材３１、３１間に、上部つなぎ材４と共に、越屋根２の幅方向を向く構面のトラスを構成する斜材１５、１５を対にして架設し、斜材１５、１５を越屋根２の屋内側を点検等するための作業用の通路１６を支持するために利用した場合の例を示している。対になる斜材１５、１５はそれぞれの一端部において上部つなぎ材４の長さ方向の端部に、もしくは上部つなぎ材４が接続（ピン接合）される上弦材３１に接続（ピン接合）され、他端部において互いに接続される。上部つなぎ材４の両端部はトラス梁３、３の上弦材３１、３１に接続されているため、斜材１５の一端部は上部つなぎ材４に接続されても上弦材３１にも接続される形になる。
【００５１】
通路１６は対になる斜材１５、１５の交差部分上に敷設され、両斜材１５、１５に均等に支持される。通路１６の自重と通路１６上の積載荷重は両斜材１５、１５を通じて上部つなぎ材４に伝達され、トラス梁３、３で負担される。
【００５２】
図５は図４の詳細例を示す。ここでは越屋根２の幅方向両側に位置する下面部９、９の骨組を構成する下部つなぎ材１０、１０間に、図６に示すように上部つなぎ材４と上下に対になる下部つなぎ材４１を架設し、下部つなぎ材１０、１０を越屋根２の内部を通して連続させることで、下面部９、９の連続性を確保し、下面部９、９の面内剛性を高めている。この場合、下部つなぎ材４１が越屋根２の上面部２１の基本の骨組となる上部つなぎ材４と上下で対になることで、下部つなぎ材４１は越屋根２の幅方向の剛性を確保しながら、下面部９、９との一体性も確保する。
【００５３】
下面部９においてトラス梁３の下弦材３２とそれに水平方向に対向し、下弦材３２と平行に架設される水平材、及び下部つなぎ材１０、１０とで囲まれた領域内には図６、図７に示すように水平ブレース１１が架設されることもある。水平ブレース１１は越屋根２内の対向するトラス梁３、３の下弦材３２、３２と下部つなぎ材４１、４１とで囲まれた領域内にも架設されることもある。
【００５４】
図５では図７に示すように各斜材１５の上端部を例えば各トラス梁３の上弦材３１と上部つなぎ材４との接合部に配置されたガセットプレート３５にピン接合し、下端部を両斜材１５、１５間に跨って配置されたガセットプレート１７にピン接合している。天井材１４は例えば斜材１５の下部フランジに接合されることにより斜材１５に支持されるが、図５では上部つなぎ材４と対になる下部つなぎ材４１が下部つなぎ材１０、１０間に架設されているため、天井材１４を下部つなぎ材４１に支持させることもできる。その場合、ガセットプレート１７は下部つなぎ材４１にも接合される。
【００５５】
図６は図５に示す越屋根２を見上げた様子を、図７は越屋根２の内部を幅方向に見た様子を示している。図８は越屋根２と下面部９が幅方向に交互に配列した屋根架構１を越屋根２の長さ方向に見た様子を示している。
【符号の説明】
【００５６】
１……屋根架構、２０……柱、
２……越屋根、２１……上面部、
３……トラス梁、３１……上弦材、３２……下弦材、３３……ラチス材、３４……束材、３５……ガセットプレート、
４……上部つなぎ材、４１……下部つなぎ材、
５……水平ブレース、
６……側面側仕上げ材、６１……立上り壁、
７……開口部、７１……開口枠、７１ａ……上枠、７１ｂ……下枠、７１ｃ……横枠、
８……上面側仕上げ材、
９……下面部、１２……下面側仕上げ材、
１３……反射板、１４……天井材、１５……斜材、１６……通路、
１７……ガセットプレート。
【図１】
2015105557.tif 000003
【図２】
2015105557.tif 000004
【図３】
2015105557.tif 000005
【図４】
2015105557.tif 000006
【図５】
2015105557.tif 000007
【図６】
2015105557.tif 000008
【図７】
2015105557.tif 000009
【図８】
2015105557.tif 000010
【図９】
2015105557.tif 000011